(57)【要約】【課題】記録のディスクを挿入したり、ディスクを裏挿入した場合等の異常な再生条件を的確に検出し、ディスク装置の異常動作を防止する光ディスクプレーヤ及びその制御方法を提供する。【解決手段】  本発明の光ディスクプレーヤは、ディスクＤの反射光から記録されたデータ信号を光学的に読み取る光ピックアップ１と、このデータ信号からフォーカスエラー信号を生成し、フォーカスエラー信号の振幅を測定するフォーカスエラー信号生成部２と、測定された振幅に基づいて、ディスクＤの存在及び種類を判別する制御部７とを備える。制御部７は、Ａ／Ｄ変換部６によってＡ／Ｄ変換された信号の振幅と、あらかじめ設定された基準振幅値とを比較することより振幅の有無を確認し、単なる反射光でなく、データとしての反射光の存在を検出するとともに、この振幅がＲＦ信号検出継続確認タイマー７ｄにより一定時間以上確認された場合に、ディスクＤを正常にデータが記憶されたディスクと判別するように構成されている。【選択図】図１
2005285182.tif 000002
【特許請求の範囲】
【請求項１】
ディスクの反射光から記録されたデータ信号を光学的に読み取る光ピックアップと、このデータ信号からフォーカスエラー信号を生成するフォーカスエラー信号生成回路と、フォーカスエラー信号の振幅を検出するとともに検出された振幅に基づいてディスクの存在及び種類を判別する制御部と、前記光ピックアップから得られるデータ信号を増幅してＲＦ信号を出力するＲＦ信号生成回路と、このＲＦ信号の振幅を検出するＲＦ信号振幅検出回路と、その検波信号をデジタル変換するＡ／Ｄ変換部とを備えた光ディスクプレーヤにおいて、
前記制御部は、前記デジタル変換されたＲＦ信号の振幅を検出し、予め設定された基準振幅値と比較することにより振幅の有無を検出するＲＦ信号検出部と、
前記ＲＦ信号検出部における振幅検出の回数をカウントするカウンタと、
前記振幅が所定時間以上存在するかを確認するＲＦ信号検出継続確認部と、を備え、
前記ＲＦ信号検出部は、前記カウンタに基づいて複数回の検出を行い、検出される振幅が一定時間以上確認された場合に、ディスクを正常にデータが記憶されたディスクと判別する判別部を備え、
前記制御部の判別に基づいて、サーボのオン又はオフを指示するサーボ指令部とを備えることを特徴とする光ディスクプレーヤ。
【請求項２】
ディスクの反射光から記録されたデータ信号を光ピックアップが光学的に読み取り、このデータ信号からフォーカスエラー信号生成回路がフォーカスエラー信号を生成し、このフォーカスエラー信号の振幅を制御部が検出するとともに検出された振幅に基づいてディスクの存在及び種類を判別し、ＲＦ信号生成回路が前記光ピックアップから得られるデータ信号を増幅してＲＦ信号を出力し、このＲＦ信号の振幅をＲＦ信号振幅検出回路が検出し、その検波信号をＡ／Ｄ変換部がデジタル変換する光ディスクプレーヤの制御方法において、
前記制御部は、前記デジタル変換されたＲＦ信号の振幅を検出するとともに予め設定された基準振幅値と比較することにより振幅の有無を検出し、前記ＲＦ信号の振幅を検出した回数をカウントし、前記振幅が所定時間以上存在するかを確認し、さらに、前記カウントに基づいてＲＦ信号の検出を複数回を行い、この検出される振幅が一定時間以上確認された場合に、ディスクを正常にデータが記憶されたディスクと判別し、この判別に基づいて、サーボ指令部に対してサーボのオン又はオフを指示することを備えることを特徴とする光ディスクプレーヤの制御方法。
【発明の詳細な説明】
【技術分野】
【０００１】
本発明は、光ディスクプレーヤに関するものであって、特に、ディスクの異常な再生条件を検出して、サーボの異常動作を防止する技術に関する。
【背景技術】
【０００２】
従来より、光学ピックアップを移動させてディスクに記録された情報を読み取る光ディスクプレーヤにおいて、光ピックアップがそのデータ領域を外れた場合に、それを光学的に判別して、ピックアップをデータ領域へ復帰させる技術が開示されている（例えば、下記特許文献１）。
【特許文献１】特開昭６３−１６７４３０号公報
【発明の開示】
【発明が解決しようとする課題】
【０００３】
しかしながら、上記の従来技術においては、誤って未記録のディスクを挿入した場合やディスクを裏挿入した場合に、ディスクからの反射光が存在すれば、それをフォーカスエラー信号が得られたとして、フォーカスサーチを行い、フォーカスサーボをサーボオンとするケースがある。この場合、プレーヤーはディスク上の記録信号の有無のチェックを行わずに、以降の再生準備動作を継続する。しかしながら、実際には記録信号がないから、トラックもなくＲＦ信号もないため、トラッキングサーボおよびスレッドサーボ、スピンドルサーボともサーボの基準となる信号を得られず暴走する可能性がある。
【０００４】
特に、スピンドルサーボが暴走した場合、ディスクが高速で回転する。また、この場合、スピンドルサーボは、暴走中であるため適正なブレーキをかけることも不可能となる。また、エラータイマーを設定し、一定時間スピンドルサーボがオンできない場合を検出してモーターをストップしても、慣性でディスクの回転はしばらく継続される。仮にこの時点でユーザがディスク排出命令を実行した場合、ディスクが回転した状態で排出機構に乗ずるため、機構部や意匠部との接触時にディスクを傷つけるということとなる可能性がある。
【０００５】
本発明は上記のような従来技術の課題を改善するために提案されたものであって、その目的は、未記録のディスクを挿入したり、ディスクを裏挿入した場合等の異常な再生条件を的確に検出し、ディスク装置の異常動作を防止する光ディスクプレーヤ及びその制御方法を提供することにある。
【課題を解決するための手段】
【０００６】
上記の目的を達成するため、請求項１の発明は、ディスクの反射光から記録されたデータ信号を光学的に読み取る光ピックアップと、このデータ信号からフォーカスエラー信号を生成するフォーカスエラー信号生成回路と、フォーカスエラー信号の振幅を検出するとともに検出された振幅に基づいてディスクの存在及び種類を判別する制御部と、前記光ピックアップから得られるデータ信号を増幅してＲＦ信号を出力するＲＦ信号生成回路と、このＲＦ信号の振幅を検出するＲＦ信号振幅検出回路と、その検波信号をデジタル変換するＡ／Ｄ変換部とを備えた光ディスクプレーヤにおいて、前記制御部は、前記デジタル変換されたＲＦ信号の振幅を検出し、予め設定された基準振幅値と比較することにより振幅の有無を検出するＲＦ信号検出部と、前記ＲＦ信号検出部における振幅検出の回数をカウントするカウンタと、前記振幅が所定時間以上存在するかを確認するＲＦ信号検出継続確認部と、を備え、前記ＲＦ信号検出部は、前記カウンタに基づいて複数回の検出を行い、検出される振幅が一定時間以上確認された場合に、ディスクを正常にデータが記憶されたディスクと判別する判別部を備え、前記制御部の判別に基づいて、サーボのオン又はオフを指示するサーボ指令部とを備えることを特徴とする。
【０００７】
請求項２の発明は、請求項１の発明を制御する方法として捉えたものであって、ディスクの反射光から記録されたデータ信号を光ピックアップが光学的に読み取り、このデータ信号からフォーカスエラー信号生成回路がフォーカスエラー信号を生成し、このフォーカスエラー信号の振幅を制御部が検出するとともに検出された振幅に基づいてディスクの存在及び種類を判別し、ＲＦ信号生成回路が前記光ピックアップから得られるデータ信号を増幅してＲＦ信号を出力し、このＲＦ信号の振幅をＲＦ信号振幅検出回路が検出し、その検波信号をＡ／Ｄ変換部がデジタル変換する光ディスクプレーヤの制御方法において、前記制御部は、前記デジタル変換されたＲＦ信号の振幅を検出するとともに予め設定された基準振幅値と比較することにより振幅の有無を検出し、前記ＲＦ信号の振幅を検出した回数をカウントし、前記振幅が所定時間以上存在するかを確認し、さらに、前記カウントに基づいてＲＦ信号の検出を複数回を行い、この検出される振幅が一定時間以上確認された場合に、ディスクを正常にデータが記憶されたディスクと判別し、この判別に基づいて、サーボ指令部に対してサーボのオン又はオフを指示することを備えることを特徴とする。
【０００８】
以上のような態様では、制御部においてＲＦ信号の振幅の確認を複数回行い、さらに、ＲＦ信号を一定時間継続して検出されない場合に、サーボ指令部を通じてサーボをオフすることにより、例えば、未記録ディスクを挿入した場合やディスクを裏挿入した場合に、フォーカスサーボをオンした直後にディスク上の記録信号の有無を検出し、記録信号がないと判断した場合は、トラッキング、スレッド、スピンドルサーボをオンさせることなく、すべてのサーボをオフすることにより、サーボの暴走を未然に防ぐことができる。
【発明の効果】
【０００９】
以上のように、本発明によれば、未記録のディスクを挿入したり、ディスクを裏挿入した場合等の異常な再生条件を的確に検出し、ディスク装置の異常動作を防止する光ディスクプレーヤ及びその制御方法を提供することが可能となる。
【発明を実施するための最良の形態】
【００１０】
次に、本発明を実施するための最良の形態（以下、本実施形態という。）について、図面を参照して具体的に説明する。
【００１１】
〔構成〕
図１に示すように、本実施形態の光ディスクプレーヤ（以下、本装置という。）は、ディスクＤに対して光ビームを照射することで、ディスクＤの反射光から記録されたデータ信号を光学的に読み取る光ピックアップ１と、この光ピックアップ１内にある対物レンズの光軸方向のズレ量を示すフォーカスエラー信号を生成するフォーカスエラー信号生成部２と、光ピックアップ１から得るデータ信号に基づいて、対物レンズの径方向のズレ量を示すトラッキングエラー信号を生成するトラッキングエラー信号生成部３と、を備える。
【００１２】
また、光ピックアップ１から得られるデータ信号を増幅した再生信号としてＲＦ出力するＲＦ信号生成回路４と、このＲＦ信号生成回路４からのＲＦ信号振幅を検出するＲＦ信号検波回路５と、この検波回路にて検出されたＲＦ信号振幅をデジタル変換するＡ／Ｄ変換部６とを備える。
【００１３】
さらに、本装置は、光ピックアップ１をフォーカス方向に移動調整するフォーカスサーボ９ａと、光ピックアップ１をトラッキング方向に移動調整するトラッキングサーボ９ｂと、スピンドルモータの回転速度を調整するスピンドルサーボ９ｃと、これらフォーカスサーボ９ａ、トラッキングサーボ及びスピンドルサーボ９ｃを制御するサーボ指令部８とを備える。
【００１４】
また、本装置は、プレーヤ全体を制御する制御部７とを備えている。この制御部７は、ディスクに記録されたＴＯＣデータの読込みを行うＴＯＣデータ記憶部７ａと、Ａ／Ｄ変換部６から入力されるＲＦ信号を検出するＲＦ信号検出部７ｂと、あらかじめ設定された振幅の基準値を記憶した基準振幅値記憶部７ｃとを備え、この検出信号と基準振幅値記憶部７ｃに記憶された基準振幅値とを比較することより振幅の有無を確認し、単なる反射光でなく、データとしての反射光の存在を検出するように構成されている。
【００１５】
また、ＲＦ信号が予め設定された所定の時間以上継続して検出できるか否かを確認するＲＦ信号検出継続確認タイマー７ｄと、ＲＦ信号検出部７ｂにおいて１度の検出でＲＦ信号の検出が確認できなかった場合に複数回の再検出回数をカウントする再検出用カウンタ７ｅと、このカウンタ７ｅからの出力により、エラーが生じたと判定するエラー判定部７ｆとを備える。このエラー判定部７ｆは、エラー判定を行った場合には、サーボ指令部８にサーボ停止指令を出力するとともに、フォーカスエラーであること、すなわち、ディスクの異常を利用者に通知する。そして、このサーボ停止指令に基づいて、サーボ指令部８にサーボのオン又はオフを指示するように構成されている。
【００１６】
〔作用効果〕
以上のような構成からなる本実施形態の作用を具体的に図２に表されたフローチャートを用いて説明する。
まず、ディスクＤの有無を確認するため、ディスクＤを強制回転させ、そのディスクＤ表面に対して、光ピックアップ１の光ビーム照射動作をオンとし、その反射に基づくフォーカスエラー信号の振幅を確認し（ステップ２０１）、ディスクＤの有無を検出する（ステップ２０２）。ディスクＤの存在を確認した場合（ステップ２０２のＹＥＳ）は、光ピックアップ１によるフォーカスサーチ動作を開始する（ステップ２０３）。
【００１７】
このフォーカスサーチは、ディスクＤ上のデータ領域に焦点を合わせるためにフォーカスサーボ９ａを駆動して行う。このフォーカスサーチを行うためのフォーカスサーボ９ａの制御により、ディスクＤ上のデータ領域に対して焦点が合う。
【００１８】
次に、制御部７のＴＯＣデータ記憶部７ａにおいて、ＴＯＣデータの読込みが既になされているか否かを確認し（ステップ２０４）、ＴＯＣリードが完了している場合（ステップ２０４のＹＥＳ）には、後述するステップ２０９へ進みサーボをオンにする指令を行い、ＴＯＣリードが未完了であった場合（ステップ２０４のＮＯ）は、ＲＦ信号の検出モードに移行する（ステップ２０５）。
【００１９】
ここで、ＲＦ信号の確認は、まず、ＲＦ信号生成回路４によって前記データ信号から得られたＲＦ信号をＲＦ信号検波回路５で検出し、その検波信号をＡ／Ｄ変換部６においてＡ／Ｄ変換部変換する。次に、このＡ／Ｄ変換部変換された信号のボトムとピークを検出し、そのボトム／ピーク間の差＝振幅と、あらかじめ設定された振幅有無の判断値とを比較することにより振幅の有無を確認し、単なる反射光ではなく、データとしての反射光の存在を検出する。
【００２０】
次に、制御部７のＲＦ信号検出部７ｂにおいて、ＲＦ信号振幅の存在を確認する。この際、ＲＦ信号検出継続確認タイマー７ｄにおいてＲＦ信号が予め設定された所定の時間以上継続して検出できるか否かを確認する（ステップ２０６）。所定の時間内に、ＲＦ信号が確認できた場合（ステップ２０６のＹＥＳ）には、ＲＦ信号検出部において、再生中のディスクＤは正常にデータが記録されたディスクであると認識し（ステップ２０８）、以降の再生準備のための調整作業を進捗し、サーボ指令部８に対してサーボをオンにするよう指令するとともに再生処理を実行する（ステップ２０９、２１０）。
【００２１】
一方、ＲＦ信号検出部７ｂにおいて、ＲＦ信号振幅を所定の時間以上確認できなかった場合は（ステップ２０６のＮＯ）、再度ＲＦ信号の有無を確認し（ステップ２１１）、ＲＦ信号が確認された場合には、ステップ２０６へ戻って処理を繰り返す（ステップ２１１のＹＥＳ）。
【００２２】
ＲＦ信号が確認できない場合には（ステップ２１１のＮＯ）、ＲＦ信号振幅検出の万全を期するために、前述の確認を所定の回数実行する（ステップ２１３）。これは、ＲＦ信号が仮に１度検出されたとしても、それば、反射光などのＲＦ信号ではないものある場合があるからである。この回数については、再検出用カウンタ７ｅにより予め設定された所定の回数をカウントする。
【００２３】
再検出用カウンタ７ｅのカウントが所定回数に達してもＲＦ信号が検出されない場合は（ステップ２１４のＮＯ）、ディスクＤに記録がない、もしくはディスクＤが裏挿入状態であると認識し、この時点でサーボオンさせるとすべてのサーボは暴走する可能性が非常に高いので、すべてのサーボ系をオフにする（ステップ２１２）。同時に、あらかじめ規定したエラー処理、例えば、利用者に対して、ディスクの異常を通知する（ステップ２１５）。なお、この処理を、図２のフローでは「フォーカスエラー」としている。
一方、所定回数の確認の中で信号が検出された場合（ステップ２１４のＹＥＳ）には、ステップ２０３へ戻って、上記の処理を繰り返す。
【００２４】
以上のように作用する本実施形態によれば、ディスクＤ上の記録信号の有無をフォーカスサーボ９ａをオンにした直後に検出し、記録信号がないと判断した場合は、トラッキングサーボ９ｂ、スピンドルサーボ９ｃをサーボさせることなく、すべてのサーボをオフにし、サーボ系の暴走を未然に防ぐことができる。特に、ＲＦ信号検出部７ｂによってＲＦ信号振幅の確認を行うに当たって、ＲＦ信号検出継続確認タイマー７ｄによってＲＦ信号を一定時間継続して検出するとともに、一定時間で検出されない場合にさらに再検出用カウンタで検出回数をカウントしながら複数回信号の有無を検出するため、単なる反射光ではなく、データとしての反射光の存在を確実に検出することが可能となる。
【図面の簡単な説明】
【００２５】
【図１】本発明の実施形態の構成を示すシステムブロック図。
【図２】本発明の実施形態における処理手順の一例を示すフローチャート。
【符号の説明】
【００２６】
１…光ピックアップ
２…フォーカスエラー信号生成部
３…トラッキングエラー信号生成部
４…ＲＦ信号生成回路
５…ＲＦ信号検波回路
６…Ａ／Ｄ変換部
７…制御部
７ａ…ＴＯＣデータ記憶部
７ｂ…ＲＦ信号検出部
７ｃ…基準振幅値記憶部
７ｄ…ＲＦ信号検出継続確認タイマー
７ｅ…再検出用カウンタ
７ｆ…エラー判定部
８…サーボ指令部
９ａ…フォーカスサーボ
９ｂ…トラッキングサーボ
９ｃ…スピンドルサーボ
Ｄ…ディスク
【図１】
2005285182.tif 000003
【図２】
2005285182.tif 000004